(57)【特許請求の範囲】
【請求項１】
次の１〜１２の構成であることを特徴とするソファー。
１．本体フレーム（５）の背面上部に背凭れ（６）があり、本体フレーム（５）の幅方向両側に袖（１０）があるソファー本体（７）と、それとは別体に形成された座（８）があり、
２．背凭れ（６）の下にソファー本体（７）の背面と袖（１０）とに囲まれた収容空間（１１）があり、
３．本体フレーム（５）と座（８）とに、座（８）を本体フレーム（５）の前後方向にスライド可能としたガイド機構（１２）が設けられ、
４．座（８）の底面（１９）の前後方向中程に脚（１３）が、その先端が底面（１９）の前面（２０）より内側になるように、座（８）の底面より下方に突出して設けられ、
５．その脚（１３）の先端側に回転自在なキャスター（１４）が取り付けられ、
６．座（８）は本体フレーム（５）の前記ガイド機構（１２）の上に設置されて、その後部が前記収容空間（１１）内に差し込まれ、前方部が前記キャスター（１４）により支持されて、座（８）が前記ガイド機構（１２）によりガイドされてソファー本体（７）の前後方向にスライド可能であり、
７．座（８）を前方へスライドさせると座（８）の後部（９）が前記収容空間（１１）から前方に引出され、後方へスライドさせると同後部（９）が前記収容空間（１１）内に収容され、
８．前記ガイド機構（１２）は本体フレーム（５）の左右両側の妻台輪（１）の夫々に本体フレーム（５）の前後方向に沿って設けられたガイドレール（１５）と、座（８）の座フレーム（３１）の幅方向両側の夫々に取付けられてガイドレール（１５）の上を走行可能な回転ローラー（１６）を備え、
９．ガイドレール（１５）にはその前後方向に間隔をあけて、前記回転ローラー（１６）が係止可能な嵌合凹部（１７）が形成され、嵌合凹部（１７）の傾斜と回転ローラー（１６）の直径は嵌合凹部（１７）に回転ローラー（１６）が嵌合すると回転ローラー（１６）が停止して座（８）も停止し、その停止状態で座に座ったまま腰を使って座を前後動させると回転ローラー（１６）が嵌合凹部（１７）から乗り上げて前方又は後方に移動可能となるようにし、
１０．前記ガイドレール（１５）は本体フレーム（５）の前方へ向けて上り傾斜であり、その傾斜角度が座（８）を前方に引き出して回転ローラー（１６）がガイドレール（１５）の先端の嵌合凹部（１７）に嵌合したときに座（８）が水平又はほぼ水平になる角度であり、
１１．本体フレーム（５）と座（８）とに、座（８）の後部（９）の浮き上りを防止する浮上防止機構（２１）を設け、
１２．前記１〜１１の構成により、一人掛け用ソファーの場合はその座（８）が、数人掛け用ソファーの場合は個別に形成された個々の座（８）が別々にスライド可能である。
【発明の詳細な説明】
【０００１】
【発明の属する技術分野】
本発明は座が前後にスライド可能なソファーに関し、通常のソファーと同様に人が座に腰を掛けることができるのは勿論のこと、座を前方にスライドさせることにより、座の上で容易に胡座をかいたり、横になったりすることもできるソファーに関するものである。
【０００２】
【従来の技術】
座が前後にスライド可能なソファーは従来からある。その主なものとして本件出願人の特許第３０７２２６８号のソファーがある。このソファーは図１３に示すように背凭れＡを備えたソファー本体Ｂに、ソファー本体Ｂと別体の座Ｃを前後にスライド可能にセットし、背凭れＡの下部に座の後部を出し入れ可能な収容空間Ｅを設けて、座Ｃを後方へスライドさせるとその後部が収容空間内Ｅに収容され、前方へスライドさせると同後部が収容空間Ｅから前方に引出されるようにして、座が引き出されると座の奥行きが広がって、その上で胡座をかいたり、横になったりすることができるようにしてある。
【０００３】
【発明が解決しようとする課題】
前記発明では座の上で胡座をかいたり横になったりすることができるため便利であり、特に不便はないが、しいて挙げれば、座に座っている人が一々腰を浮かさないと座をスライドさせにくいという課題があった。また、キャスターが座の底面前方に直接取り付けられているため、向い側のソファーに座っている人からキャスターが見えて体裁が良くない。キャスターを隠すためにキャスターの前に目隠板を取り付けると、目隠板があるために座が重い感じになるとか座のデザインが制約を受けるといった課題があった。
【０００４】
【課題を解決するための手段】
本発明の目的は、座に座ったままで腰を前方に動かすと、座が前方にスライドして座の奥行きが広がり、座の上でゆったりと胡座をかいたり、足を伸ばしたりすることができ、場合によっては横になることもでき、更にはデザインの自由度の高いソファーを提供することにある。
【０００５】
本発明のソファーは、次の１〜１２の構成であることを特徴とする。
１．本体フレーム５の背面上部に背凭れ６があり、本体フレーム５の幅方向両側に袖１０があるソファー本体７と、それとは別体に形成された座８とがあり、
２．背凭れ６の下にソファー本体７の背面と袖１０とに囲まれた収容空間１１があり、
３．本体フレーム５と座８とに、座８を本体フレーム５の前後方向にスライド可能としたガイド機構１２が設けられ、
４．座８の底面１９の前後方向中程に脚１３が、その先端が底面１９の前面２０より内側になるように、座８の底面より下方に突出して設けられ、
５．その脚１３の先端側に回転自在なキャスター１４が取り付けられ、
６．座８は本体フレーム５の前記ガイド機構１２の上に設置されて、その後部が前記収容空間１１内に差し込まれ、前方部が前記キャスター１４により支持されて、座８が前記ガイド機構１２によりガイドされてソファー本体７の前後方向にスライド可能であり、
７．座８を前方へスライドさせると座８の後部９が前記収容空間１１から前方に引出され、後方へスライドさせると同後部９が前記収容空間１１内に収容され、
８．前記ガイド機構１２は本体フレーム５の左右両側の妻台輪１の夫々に本体フレーム５の前後方向に沿って設けられたガイドレール１５と、座８の座フレーム３１の幅方向両側の夫々に取付けられてガイドレール１５の上を走行可能な回転ローラー１６を備え、
９．ガイドレール１５にはその前後方向に間隔をあけて、前記回転ローラー１６が係止可能な嵌合凹部１７が形成され、嵌合凹部１７の傾斜と回転ローラー１６の直径は嵌合凹部１７に回転ローラー１６が嵌合すると回転ローラー１６が停止して座８も停止し、その停止状態で座に座ったまま腰を使って座を前後動させると回転ローラー１６が嵌合凹部１７から乗り上げて前方又は後方に移動可能となるようにし、
１０．前記ガイドレール１５は本体フレーム５の前方へ向けて上り傾斜であり、その傾斜角度が座８を前方に引き出して回転ローラー１６がガイドレール１５の先端の嵌合凹部１７に嵌合したときに座８が水平又はほぼ水平になる角度であり、
１１．本体フレーム５と座８とに、座８の後部９の浮き上りを防止する浮上防止機構２１を設け、
１２．前記１〜１１の構成により、一人掛け用ソファーの場合はその座８が、数人掛け用ソファーの場合は個別に形成された個々の座８が別々にスライド可能である。
【０００６】
【０００７】
【０００８】
【０００９】
【００１０】
【００１１】
【００１２】
【発明の実施の形態１】
本発明のソファーの第１の実施形態を図１〜図１０に示す。このソファーは座８が一つのものであり、図１に示すようにソファー本体７とそれと別体の座８とからなり、ソファー本体７の背凭れ６の下部に収納空間１１を設け、収納空間１１内に座８の後部９を差し込んでソファー本体７に座８をスライド可能にセットしてある。
【００１３】
ソファー本体７は本体フレーム５と背凭れ６、袖１０とにより構成される。本体フレーム５は図２に示すように幅方向両側に設けた細長板状の２枚の妻台輪１の前端部間を細長板状の前台輪２により、後端部間を細長板状の後台輪３により、前後方向中間部を細長板状の中台輪２２により夫々連結してある。また、図２に示すように左右両側の妻台輪１の後部上方には妻台輪１とは別体の二枚の背板４を対向させて立ち上げ、対向する二枚の背板４の上部間を笠木２３により連結し、背板４の前端面間を巻込２４により連結してある。妻台輪１と背板４とは一体物とした妻板とすることもできる。
【００１４】
本体フレーム５の左右両側の妻台輪１の内側には図２に示すようにガイドレール１５を取り付けてある。このガイドレール１５は金属製の板材であり、妻台輪１の内側にネジとか他の手段で取り付けてある金属製の支持板２５に、溶接により取り付けられている。支持板２５には例えば縦５５ｍｍ、横（長さ）３００ｍｍ程度の金属板が適する。ガイドレール１５は図５（ａ）のように座８に取り付けた回転ローラー１６を、図８（ａ）のように転がすためのものであり、そのため、回転ローラー１６が転がるのに十分な幅、例えば２５ｍｍ程度にしてある。ガイドレール１５には図９（ａ）に示す様に所定間隔でＶ字状の嵌合凹部１７を形成して、ガイドレール１５の上を回転する回転ローラー１６が嵌合凹部１７に嵌合すると、前後方向への座８の動きが一時停止するようにしてある。嵌合凹部１７の角度αはローラー１６の直径に合わせて選択する。この場合、嵌合凹部１７に回転ローラー１６が嵌合して一時停止し易く、また、座８に前後方向の力を加えると回転ローラー１６が嵌合凹部１７を乗り上げて、座８が再度前後動できる程度の角度にするのが操作上、望ましい。嵌合凹部１７の数は図示した数よりも多くすることも、少なくすることもできる。
【００１５】
前記ガイドレール１５は本体フレーム５の後方から前方に向けて上り傾斜になっており、その傾斜角度は座８の長さとか座８のスライド長等によって異なるが、この実施形態では、座８を前方に引き出して回転ローラー１６が先端の嵌合凹部１７に嵌合したときに座８が水平になるように設計してある。一例としては１０度程度にすることができる。  
【００１６】
ガイドレール１５は図９（ｂ）、図９（ｃ）に示す形状、構造のものであってもよく、それ以外の形状、構造のものであってもよい。図９（ｂ）に示すものは縦方向に幅の広い木製、樹脂製の板材５０にＶ字状の嵌合凹部１７を形成したものである。図９（ｃ）に示すものは金属製、樹脂製の板材５０を階段状に曲げて三ケ所にＶ字状の嵌合凹部１７を形成したものである。
【００１７】
図１の背凭れ６は、図２に示す二枚の背板４の外面及び背面を図３のように張り材２６で被覆し、本体フレーム５の笠木２３と巻込２４の前面にクッション２７を立て掛けてある。張り材２６としては、例えば皮、布、樹脂、合皮等が適するが、その他の素材であっても良い。クッション２７はそれに取付けたファスナー（図示せず）と前記張り材２６に取り付けファスナー（図示せず）とを連結することにより張り材２６に連結し、裏側上方を笠木２３により支持し、裏側下方を巻込２４に支持して後方に倒れないようにしてある。クッション２７は硬質ウレタン２８の上に軟質ウレタン２９、綿３０を順次積層し、それらを装飾用の張り材２６で被覆してなり、また、座８に座った人が寄り掛かり易くするために、外側に多少湾曲させると共に上部を多少後方に傾斜させて立て掛けてある。クッション２７の構造や立て掛け方はこれ以外であってもよい。
【００１８】
図１の袖１０は図４に示すように、本体フレーム５の妻台輪１及び背板４の外側に配置し、袖１０に取り付けてあるスクリューボルト（図示せず）に本体フレーム５の内側からナット（図示せず）を螺合し、そのナットを締付けることにより本体フレーム５に固定してある。この袖１０の内側と前記背凭れ６のクッション２７の下方から二枚の背板４間にかけて、それらにより囲まれた収容空間１１を設けてあり、この収容空間１１は座８の後部９を収容可能な奥行き（例えば座８の奥行きの１／３前後の長さ）としてある。収容空間１１の広さ、奥行き寸法等も任意に選択することができる。
【００１９】
図１の座８は図５のように、本体フレーム５とは別体の木製の横長枠状の座フレーム３１の上に座シート４０を設けてある。座フレーム３１の上面には図６及び図５（ｂ）に示す様にその幅方向に復帰用ベルト３２を三本張り、その上にＳ字状に曲げたスプリング３３を復帰用ベルト３２と交差する方向に四本設置し、スプリング３３の上にクッション材３４を設け、その上面、周囲、及び底面（全周）を装飾用の張り材で被覆してある。復帰用ベルト３２には例えばエラスベルト、ウェービングテープ（いずれも商品名）を用いることができるが、その他のゴム、樹脂等であっても良い。復帰用ベルト３２は例えば平ベルトとか、網状のベルトとすることができ、弾力性（スプリング性）を有するものとして、座８に座った人の重さでスプリング３３が下方に撓むとそれに追随して復帰用ベルト３２も撓み、座８から人が立ち上がって荷重が解除されると、復帰用ベルト３２が上方に復帰してスプリング３３の上方への復帰を助ける（助勢する）ようにしてある。寸法は例えば幅５〜６ｃｍ、厚さ１ｍｍ程度が適するが、その素材等によって任意に選択して良い。クッション材３４の一例としては、再生ウレタン３５、硬質ウレタン２８、軟質ウレタン２９、綿３０を下から順にスプリング３３の上に積層したものとすることができる。復帰用ベルト３２の幅や本数、スプリング３３の本数、間隔等は任意に決めることができる。座８の幅、奥行き寸法等も任意に選択することができる。
【００２０】
図１の座８の底面１９には脚１３が取り付けられている、脚１３は図５（ａ）に示すように座８の底面１９の幅方向両端に平行に二本取付けられている。脚１３は細長のアーム状であり、その根元側を座８の底面１９の前後方向ほぼ中程に取り付けて、先端側が座８の底面１９の前面側に突出するようにしてある。脚１３の先端部３６はやや下向きにしてあり、その先端部３６にキャスター１４が回転自在に取付けられている。キャスター１４のサイズは任意に選択することができるが、例えば５０φ程度が適する。脚１３は図７に示すように、座８の前方から真直ぐ下方に伸びた直線状のものであってもよく、それ以外の形状であってもよい。
【００２１】
図５（ａ）に示すように、座８の後部９の両外側面には板状のブラケット３７が取り付けられ、そのブラケット３７に回転ローラー１６が支持軸３８により回転自在に取付けられている。回転ローラー１６は図８のように前記ガイドレール１５の上に乗ってその上を回転し、座８を前後にスムーズにスライド可能とするものである。回転ローラー１６のサイズは任意に選択することができるが、例えば２０〜４０φ程度が適する。この実施形態では回転ローラー１６と前記ガイドレール１５とによりガイド機構１２を構成する（図８（ａ））。また、回転ローラー１６とガイドレール１５に間隔をあけて設けた前記嵌合凹部１７とにより停止機構１８を構成する（図９（ａ））。
【００２２】
ブラケット３７のうち回転ローラー１６よりも下にストッパー３９を取付けてある。ストッパー３９には直径８φ程度のパイプとか棒等が使用されている。このストッパー３９は前方に引き出された座８の先端部に図１０の矢印方向（下方向）の力が加わったときに、座８の後部９が少し跳ね上がると、ガイドレール１５の下面に当たって、座８の後部９がそれ以上は浮き上がらない（跳ね上がらない）ようにするためのものであり、このストッパー３９とガイドレール１５とにより座の後部９の浮き上りを防止する浮上防止機構２１を構成する。
【００２３】
（使用例）
実施形態１のソファーの使用例を以下に説明する。通常のソファーとして使用する場合は、図１の座８の後部９を背凭れ６の下の収容空間１１内に差し込み、その座８に腰を下ろして座る。座ったままで腰を前方に動かすと座８の回転ローラー１６がガイドレール１５の上を回転して座８が前方にスライドし、それまで収容空間１１内に収容されていた座８の後部９が収容空間１１から引出され、背凭れ６よりも前方に突出する座８の奥行き幅が広がり、その座８の上に胡座をかいたり、横になったりすることができる。座８を前方にスライドさせるとき、回転ローラー１６がガイドレール１５の嵌合凹部１７に嵌入するまでスライドさせると座８はその位置に停止する。座８を更に引出したいときは、座ったままで腰を前方に動かすと回転ローラー１６が嵌合凹部１７から外れて前方にスライドする。このときも、回転ローラー１６が前方の嵌合凹部１７に嵌入するまでスライドさせると、座８は自動的に停止する。座８は前方へスライドする度に、それまで収容空間１１内に収容されていた座の後部９が収容空間１１から引出され、背凭れ６の前方に引出されている座８の奥行き幅が更に広がる。座８を元に戻したいときは、座８に座ったまま座８を後方に動かすと前進時とは逆に座８が後方にスライドし、収容空間１１から引出されていた座８の後部９が収容空間１１内に押し込まれて収容される。この場合も、回転ローラー１６が嵌合凹部１７に嵌合する度に停止し、間欠的にスライドする。嵌合凹部１７間の距離は製品毎に任意に決定することができる。例えば１５０ｍｍピッチとして、嵌合凹部１７を三つ設けた場合は、座８は３００ｍｍスライド可能となる。前方又は後方へスライドさせるときに、座８が動きにくい時は、座８から腰を浮かしすと、座８の前方を手で水平方向に容易に手前に引っ張ることができ、座８がスムースにスライドできる。
【００２４】
【発明の実施の形態２】
本発明のソファーの第２の実施形態を図１１に示す。図１１に示すソファーは座８が二つ有る二人掛け用である。二つの座８は形状、大きさ、構造が同一であり、別々にスライド可能として、座８の後部９を別々に収容空間１１に出し入れ自在としてある。本実施形態のソファーの本体フレーム５には、図１２のように左右の妻台輪１の中間にこれらと平行に前台輪２と後台輪３とを結ぶ中間体３９を設け、その中間体３９の両側にガイドレール１５が取付けられている。他の構成は座８が一つである一人掛け用ソファーと同様である。
【００２５】
【発明の効果】
本発明のソファーは次のような効果がある。
（１）座の底面にアーム状の脚が底面よりも下方に突出して取付けられ、その脚に前後方向に回転自在なキャスターが取り付けられているので、キャスターの前にそれを隠すための目隠板を取り付けなくとも、向かいに座っている人からキャスターが見えないように取り付けることができ、デザインがスッキリして体裁が良い。また、座をデザインする上での制約が少なくなり、自由な設計が可能となる。
（２）座を用途に合わせて前後にスライドさせて、座の奥行き幅を調節できるので、座の上で胡座をかいたり、横になったりするのに便利である。
（３）座の後部を収容する収容空間を背凭れの下部に設けたので、収容空間を設けてもソファーの奥行きが格別長くなることがない。
（４）座の後部を背凭れの下の収容空間内に収容できるので、座の奥行きを通常のソファーの座より長くしても、通常の使用時に座が背凭れの前方に格別長く突出することがなく、ソファーの体裁が悪くなることもない。
（５）座に座ったまま腰を前後に動かすだけで座を前後にスライドさせることができるので、スライド操作が容易である。
（６）本体フレームと座とにガイド機構が設けられているので、座のスライドが安定する。
（７）座の取り外しが可能となるため、カバーリングタイプにも対応でき、また、重量が軽減されるため、移動も容易に行うことができる。
【００２６】
本発明のソファーは前記効果の他に次のような効果もある。即ち、ソファー本体に設けたガイドレールの上を、座の回転ローラーが回転自在であるため座が前後に移動しやすくなり、嵌合凹部１７と回転ローラー１６は嵌合凹部１７に回転ローラー１６が係止すると座８が停止し、その係止状態で座に座ったまま腰を使って座を前後動させると回転ローラー１６が嵌合凹部１７から外れて前方又は後方に移動可能としたので、座に座っている人がいちいち腰を上げなくとも、座に座ったままで座を前後にスライドさせることができる。
【００２７】
本発明のソファーは前記効果の他に次のような効果もある。
（１）ガイドレールに嵌合凹部を間隔をおいて設けて、嵌合凹部に回転ローラーが係止可能としたため、座を嵌合凹部毎に停止させることが、座の引き出し長の調節が容易になる。
【００２８】
本発明のソファーは前記効果の他に次のような効果もある。
（１）座８の底面１９の前後方向中程に側面形状がほぼコ字状であるアーム状の脚１３が、その先端が底面１９の前面２０より内側になるように取付けられ、その脚１３の先端側に前後方向に回転自在なキャスター１４が取り付けられているので、キャスターの前にそれを隠すための目隠板を取り付けなくとも、向かいに座っている人からキャスターが見えず、デザインがスッキリして体裁が良い。
【００２９】
本発明のソファーは、前記効果の他に次のような効果もある。
（１）本体フレームと座とに、座の後部の浮き上りを防止する浮上防止機構を設けたので、座を引き出した状態で、座の前方部に座って下方向に力が掛かっても、座の後部が浮き上がることはなく安全である。
【００３０】
本発明のソファーは、ガイドレールを本体フレームの前方へ向けて上り傾斜にし、その傾斜角度を、座を前方に引き出して回転ローラーがガイドレールの先端の嵌合凹部に嵌合したときに座が水平又はほぼ水平になる角度としたため、前記効果の他に次のような効果もある。
（１）座を後退させると座の後部が下り傾斜になるため、座った姿勢が楽になる。
（２）座の先端側は床面に接するキャスターの高さで一定であるが、座を前方に引出すほど座の後方がガイドレールの傾斜に沿って高くなるため、座全体は傾斜が緩くなり、回転ローラーがガイドレールの先端の嵌合凹部に嵌合したときに座が水平又はほぼ水平になるので、ソファーの上で足を伸ばしたり、横になったりし易い。
（３）座を引出す毎に座の後部の高さが上がるため、収容空間の開口部（背凭れと座の上面との間の隙間）が小さくなり、デザイン性が向上する（体裁が良い）。
【００３１】
本発明のソファーは前記効果の他に次のような効果もある。
（１）ソファーが一人掛け用又は数人掛け用であり、数人掛け用の場合は複数の座を別々にスライド可能としたので、各人の好みに合わせて座の奥行きを変えることができる。
【図面の簡単な説明】
【図１】本発明のソファーの実施形態の一例を示す説明図。
【図２】図１に示すソファーの本体フレームを示す斜視図。
【図３】図１に示すソファーの本体フレームを示す断面図。
【図４】図１に示すソファーにおける袖と本体フレームの取付状態を示す斜視図。
【図５】図１に示すソファーの座を示す図であって、（ａ）は下方斜視図、（ｂ）は断面図、（ｃ）は正面図。
【図６】座フレームの一例を示す斜視図。
【図７】座の他例を示す側面図。
【図８】（ａ）はガイド機構を示す説明図、（ｂ）は本体フレームへのローラー支持板の取付状態を示す説明図。
【図９】（ａ）〜（ｃ）はガイドレールの異なる例を示す側面図。
【図１０】浮上防止機構の作用を示す説明図。
【図１１】本発明のソファーの実施形態の他例を示す斜視図。
【図１２】図１１に示すソファーにおけるソファー本体を示す断面図。
【図１３】従来のソファーの一例を示す説明図。
【符号の説明】
５  本体フレーム
６  背凭れ
７  ソファー本体
８  座
９  座の後部
１０  袖
１１  収納空間
１２  ガイド機構
１３  脚
１４  キャスター
１５  ガイドレール
１６  回転ローラー
１７  嵌合凹部
１８  停止機構
１９  座の底面
２０  座の底面先端
２１  浮上防止機構
【図１】
0003634271.tif 000002
【図２】
0003634271.tif 000003
【図３】
0003634271.tif 000004
【図４】
0003634271.tif 000005
【図５】
0003634271.tif 000006
【図６】
0003634271.tif 000007
【図７】
0003634271.tif 000008
【図８】
0003634271.tif 000009
【図９】
0003634271.tif 000010
【図１０】
0003634271.tif 000011
【図１１】
0003634271.tif 000012
【図１２】
0003634271.tif 000013
【図１３】
0003634271.tif 000014